(57)【特許請求の範囲】
【請求項１】
ネットワークに介入したい複数台のパソコンの各パソコンに装着してあるＩ／Ｏポートボード５の入出力端子に各々接続し、それを支線通信接続ケーブル７で母線通信接続ケーブル６に接続するネットワーク接続回路４を本体とするパソコン通信ネットワーク接続回路装置（図１）であって、前記母線通信接続ケーブル６は、２台のパソコン同士を接続するデータ転送のためのシリアルデータ（ＲＳ２３２Ｃ）通信やパラレルデータ通信などの、データ信号線とＧＮＤ線およびデータ通信のコントロール線を常設している一般的な通信接続ケーブル１に、ホスト動作判別線２とゲスト動作判別線３と呼ぶ２本のネットワークのコントロール線を付加して、パソコン通信ネットワークのための支線のケーブルを分岐できるコネクタを複数持つ母線通信接続ケーブル６であり、前記支線通信接続ケーブル７は、前記ネットワーク接続回路４への接続側のコネクター端子にホスト動作とゲスト動作の判別機能を有効にするためのジャンパー配線１９を施した支線のケーブルであり（図２）、前記ネットワーク接続回路４は、前記コントロール線の２本を監視しデータの送受信を制御するための前記ホスト動作判別線２から得られる信号を用いて、他にホスト宣言を行ったパソコンが既に存在するかを判別するホスト動作判別回路９と、前記ホスト動作判別回路９による判別の結果、他にホスト宣言を行ったパソコンが存在しない場合には、当該ホスト動作判別線作動回路１０を作動させることによって、自機のホスト宣言を行い、前記ホスト動作判別線２へ信号を出力するホスト動作判別線作動回路１０と、前記ゲスト動作判別線３から得られる信号を用いて、他にゲスト宣言を行ったパソコンが既に存在するかを判別するゲスト動作判別回路１１と、前記ゲスト動作判別回路１１による判別の結果、他にゲスト宣言を行ったパソコンが存在しない場合には、当該ゲスト動作判別線作動回路１２を作動させて、自機のゲスト宣言を行い、ゲスト動作判別線３へ信号を出力するゲスト動作判別線作動回路１２と、パソコン側にあるＩ／Ｏポートボード５に前記ホスト動作判別回路９およびゲスト動作判別回路１１の判別信号を送信したり、同じパソコン側にある前記Ｉ／Ｏポートボード５から送信される前記ホスト動作判別線作動回路１０およびゲスト動作判別線作動回路１２を作動するための信号を受信する入出力バッファであるポートボード入出力回路１３と、前記ホスト動作判別回路９およびゲスト動作判別回路１１の判別信号によって、接続した各パソコンの前記母線通信接続ケーブル６のデータ信号線であるホスト送信データライン１６およびゲスト送信データライン１７への入力データと出力データの向きを自動的に判別し作動してＩ／Ｏポートボード５との信号の出入力方向の接続を正しくするバッファゲート回路であるデータ信号ゲート回路１４とで構成されるネットワーク接続回路４であることを特徴とするパソコン通信ネットワーク接続回路装置。（図３）
【発明の詳細な説明】
【０００１】
【産業上の利用分野】
この発明は、従来の２台のパソコン同士でデータ通信を行う場合に、両パソコン間を接続するのに使用していた通信接続ケーブル１の内容線であるデータ信号線とＧＮＤ線およびデータ通信のコントロール線などの接続線に、新たにホスト動作判別線２とゲスト動作判別線３と呼ぶ２本のネットワークのコントロール線を付加したうえで、そのコントロール線の２本を監視し制御するネットワーク接続回路４を、そのネットワークに介入したい個々のパソコンに別途に装着してあるＩ／Ｏポートボード５の入出力端子におのおの接続し、それを支線通信接続ケーブル７で母線通信接続ケーブル６に接続されるパソコンネットワークのインターフェイス回路として使用することで、実際同時にコミュニケーションを行えるのは、その複数台のパソコンのうちのホスト宣言機に値する１台とゲスト宣言機に値する１台のみで、他の接続されたパソコンはすべて待機させられるようになる通信方式であるが、ハードウェア上のネットワークに介入するどのパソコンがホスト機であり、どのパソコンがゲスト機であるという固定した制約はないから、それをソフトによって自由に設定できる２台以上のパソコンの従来にない自由なネットワークウェアを実現できるようになれるパソコン通信ネットワーク接続回路装置に関するものである。
【０００２】
【従来の技術】
今日民間機として普及しているパソコンの従来技術による２台のパソコン間におけるデータ通信の方式には、Ｉ／Ｏポートボード５の８ビットごとの入出力ポートを利用したパラレルデータ通信と、ＲＳ２３２Ｃ通信コネクタを利用したシリアルデータ通信の２通りの通信方式がある。
しかし、それら既設の通信方式では、特別な接続回路を考慮しない限り、あくまでも１対１対応のたった２台のパソコン間でのデータ通信しか可能にし得ないのが現状だった。
従って、３台以上のパソコンがあって、それらすべてを常時通信接続ケーブル１で接続しておき、お互いがいつでもパソコン通信できるようにするとなれば、すべてのパソコンの通信接続ケーブル１を、一度通信接続ケーブル切り替え機なるものに接続しなければならず、そのうちのどれか２台が通信を行いたい場合には、通信したい２台の通信接続ケーブル１を、随時その通信接続ケーブル切り替え機のチャンネルを切り替えて接続するチャンネル方式や交換機方式をとらねばならなかった。
しかしそれらは、例をもって説明すれば、通信接続ケーブル切り替え機が２階にあって、ホスト宣言機となるパソコンは３階にあり、ゲスト宣言機となるパソコン５台は１階にあったとすれば、すべてのパソコンの通信接続ケーブル１は２階の切り替え機に接続しなければならないから、すべてのパソコンが切り替え機までのコスト面からも非常に高額で長い通信接続ケーブル１を各々買い揃えなければならなかったし、ゲスト宣言機がホスト宣言機と通信を行ないたい場合には、面倒でもわざわざ２階の切り替え機を自分機とホスト宣言機の接続に切り替えに行かなければならなかったり、それを自動の交換機システムにするとなれば、莫大な設置費用が必要となるのは当然なことであった。
【０００３】
【発明が解決しようとする課題】
従って、通信接続ケーブル切り替え機が２階にあって、ホスト宣言機となるパソコンは３階にあり、ゲスト宣言機となるパソコン５台が１階にある前記の例のような場合、次のような欠点があると言えた。
（イ）すべてのパソコンが２階の切り替え機までのコスト面からも非常に高額で長い通信接続ケーブル１を各々買い揃えなければならないし、幾本もの通信接続ケーブル１を切り替え機までわざわざ施さねばならなくなると、それは設置工事としても大変めんどうでわずらわしいことである。（ロ）通信を行う場合に、面倒でもわざわざ２階の切り替え機を切り替えに行かなければならない不便さがある。
（ハ）それを自動の交換機システムにするとなれば、莫大な設置費用が必要となるのは当然である。
本発明は、そうした課題を一挙に解決するために、１階と３階のすべてのパソコンの通信接続ケーブル１を結ぶ母線となる通信接続ケーブル１を１本だけ配せば、すべてのパソコンからの通信接続ケーブル１は支線としてその母線となる通信接続ケーブル１に並列接続できるようになり、それによって、それぞれのパソコンに必要とされるその支線としての通信接続ケーブル１は、市販のプリンターケーブルくらいの長さの１．５ｍほどのものしか買い揃える必要のないものになること、２階の切り替え機をわざわざ設置する必要はない通信ネットワーク構成を実現できないかということ、従来の３階のパソコン１台のみがホスト宣言機であるという固定概念を打ち破って、ネットワークに接続されたどのパソコンであろうと、ソフトの設定次第でホスト宣言機にもゲスト宣言機にも自由になれること、などを課題としたものである。
【０００４】
【課題を解決するための手段】
その構成を説明すると、
（イ）従来技術の２台のパソコン同士を接続する通信接続ケーブル１は、シリアルデータ通信系であってもパラレルデータ通信系であっても、信号線の内容はデータ転送のためのデータ信号線とＧＮＤ線およびデータ通信のコントロール線を常設しているが、本発明では、それらの線に加えホスト動作判別線２とゲスト動作判別線３と呼ぶ２本のネットワークのコントロール線を付加したものを母線通信接続ケーブル６および支線通信接続ケーブル７とする。
また、支線通信接続ケーブル７のネットワーク接続回路４側のコネクター端子には、ネットワーク接続回路図（図３）に示すとおりのホスト動作・ゲスト動作の判別機能を有効にするための図２のごときジャンパー配線１９を施す。
（ロ）そのホスト動作判別線２とゲスト動作判別線３の２本を監視しデータの送受信を制御するためのホスト動作判別回路９・ホスト動作判別線作動回路１０・ゲスト動作判別回路１１・ゲスト動作判別線作動回路１２、およびポートボード入出力回路１３・データ信号ゲート回路１４を有するネットワーク接続回路４（図３）を、そのネットワークに介入したい個々のパソコンに別途に装着してあるＩ／Ｏポートボード５の入出力端子におのおの接続し、それを母線通信接続ケーブル６および支線通信接続ケーブル７で接続されるパソコンネットワークのインターフェイス回路として装着する。
但し、ホスト動作判別回路９とゲスト動作判別回路１１（図３）の中にある端子番号▲１▼〜▲８▼で示した部分の動作判別主要回路部２２は、どちらも、動作判別主要回路部２２の回路図（図４）の回路を用いるが、その回路は端子▲２▼、端子▲３▼からの入力状態で、それぞれホスト動作宣言機、ゲスト動作宣言機の有無を、ダイオードとＬＳ８６の回路効果で、端子▲５▼、端子▲６▼に出力する回路である。
（注：ホスト動作判別回路９の動作判別主要回路部２２の端子番号▲１▼〜▲８▼（図３）は、ゲスト動作判別回路１１の動作判別主要回路部２２と同一の回路であるが、ゲスト動作判別回路１１の動作判別主要回路部２２の端子番号と区別する為、’（ダッシュ）を付して端子番号▲１▼’〜▲８▼’とした。）
（ハ）すべてのパソコンを結ぶための支線通信接続ケーブル７に分岐できるコネクタを複数持つ母線通信接続ケーブル６を１本だけ配して、支線としてのすべてのパソコンからネットワーク接続回路４を介して接続された支線通信接続ケーブル７は、その母線通信接続ケーブル６に並列接続する。（図２）
（ニ）複数台あるパソコンをそのように設置したら、あとは専用のネットワーク通信ソフト８をあつらえて、Ｉ／Ｏポートボード５に接続されたネットワーク接続回路４でホスト動作判別線２とゲスト動作判別線３から得られる入力信号を判別して設定することにより、ホスト宣言機としてでもゲスト宣言機としてでも、自由に通信制御をすることができる。
以上のような手順で装置する。
【０００５】
【作用】
次に、本発明の作用を述べると、複数台あるパソコンを、前記手段のごとく設置したら、Ｉ／Ｏポートボード５に接続されたネットワーク接続回路４からのホスト動作判別線２とゲスト動作判別線３から得られる入力信号を判別し、専用のネットワーク通信ソフト８をあつらえて通信制御できるようになるので、あとはプログラマーの意志によって、通信時に通信する２台のパソコンのどちらか一方がホスト宣言機で他方はゲスト宣言機としての意味を持つ１対１のパソコン通信を可能になれ、ネットワーク中のどれか２台の通信中には他のすべてのパソコンは自動的に待機することのできる通信方式のネットワークを実現できることになり、それによって、従来技術に必要だった通信接続ケーブル１のコネクタの切り替え機を設置する必要などはなくなる。
また本発明は、本発明の全システムを常時パソコンに接続してあっても、それぞれのパソコンを使用しないときのその電源のオンオフはまったく個々に自由であり、専用のネットワーク通信ソフト８以外の目的のソフトを使用することも、本発明の装置機能に誤動作を来す設定をしない限りは、まったく自由である。
【０００６】
【実施例】
具体的な実施例としては、まずＩ／Ｏポートボード５は、使用するパソコン拡張用として一般に市販されている物か、自らが自作した汎用８２５５のポートボードを使用すれば良い。
また、課題を解決するための手段の項で、支線通信接続ケーブル７にジャンパー配線１９を施す必要があるとしたが、そのジャンパー配線１９を、支線通信接続ケーブル７へではなく、母線通信接続ケーブル６の支線通信接続ケーブル７が接続されるコネクター部分すべてに施すように改変し、支線通信接続ケーブル７は、ＧＮＤ線３本とホスト動作判別線２の２本とゲスト動作判別線３の２本の合計７本の信号線が別々に電気的に分離されて含まるケーブルに改変して、お互いを接続するようにすれば、支線通信接続ケーブル７未装着時の警告信号出力１５は、支線通信接続ケーブル７の母線通信接続ケーブル６への未接続時の警告信号としての意味を持たせることができるようにもなる。
また、ソフト的にホスト宣言機が１台しかなく、ホスト宣言機の電源およびホスト宣言機用ネットワーク通信ソフトが常時オンされている条件のネットワークならば、ホスト動作判別線２側の判別回路であるホスト動作判別回路９・ホスト動作判別線作動回路１０およびホスト動作判別線２は、削除しても良い。
そして、Ｉ／Ｏポートボード５によるパラレルデータ通信ネットワークならば、そのままネットワーク接続回路４（図３）を利用できるが、ＲＳ２３２Ｃなどのシリアルデータ通信ネットワークにしたいならば、データ信号ゲート回路１４のバッファーゲートＩＣを、それなりの整合のとれるバッファーゲートＩＣ回路に改変する必要がある。
ネットワーク接続回路４（図３）のホスト送信データライン１６とゲスト送信データライン１７の二点鎖線で示した部分の４ビット分の端子に、本発明にパソコン電源のオン機能を持たせる為の補充回路図（図６）に示すような接続回路を接続し、その回路中のＩＮ１〜ＩＮ４の端子にＩＮ１〜ＩＮ４をセンスしてマイコン本体電源用のリレーをオンオフする回路２０を接続すれば、ホスト送信データライン１６もしくはゲスト送信データライン１７から送信された４ビット信号を判別し、それが自分機の装置番号なら自分のマイコン本体の電源をオンオフするリレーが操作できることになるので、自分機がホスト宣言機ならばホスト送信データライン１６から、自分機がゲスト宣言機ならばゲスト送信データライン１７から、相手機の４ビットの装置番号の信号を送信すれば、通信したい相手機の電源がオフしていても強制的に相手機の電源をオンして通信することも可能になる。
ホスト動作判別回路９およびゲスト動作判別回路１１に用いる動作判別主要回路部２２の回路図（図４）は、図４の回路図に代用できる回路図（図５）のごときフォトカップラーによる回路でも代用できるが、その際には、支線通信接続ケーブル７未装着時の警告信号出力１５は得られないことになるばかりでなく、ネットワーク接続回路４（図３）にあるホスト動作判別回路９に代用する場合には、リレー（ＲＹ４）接点１８によってホスト動作判別線２へ供給すべき信号は、ＧＮＤではなくＶｃｃでなければならなくなるし、ゲスト動作判別回路１１に代用するときも、ゲスト動作判別線３へ供給すべき信号は、同様のことが言える。
また、信号線の入出力を混合したり、前記したジャンパー配線１９の処理を取り違えなければ、母線通信接続ケーブル６は、直線状のものでなくても構わないので、Ｔ字型ネットワークにでもループ型ネットワークにでもできるし、複数本を連結することもできる。
【０００７】
【発明の効果】
本発明は随分単純な回路であるばかりでなく、作用や実施例に示したような、従来技術に必要だった通信接続ケーブル１の切り替え機の要らない、通信したい相手機の電源を自由にオンできる、２台以上のパソコン間の自由なネットワークウェアを実現できるようになるから、各目的団体等においてパソコン通信ネットワークを構築するような場合、ネットワーク設備の設置も随分安価で単純なものになるばかりでなく、それぞれの部課を接続するパソコン通信ネットワークを組めば、ネットワーク通信ソフト８の構成次第では、他の部課の作成するパソコン書類データに次の部課のパソコン書類データをオンラインで書き加えるなど、各部課が作成した書類データをパソコン間で自由にやり取りできるペーパーレスで無人の簡易なミニオンライン化が実現できることになり、例え自分の部課のパソコン電源がオフしてあっても、相手機側から自分の部課のパソコンの電源をオンしてデータ書類を送って来て、プリンターさえセットしてあればその書類が自動的にプリントアウトされているなどといったことも可能になれる。
【図面の簡単な説明】
【図１】本発明のシステム構成図
【図２】本発明の母線および支線通信接続ケーブル図
【図３】本発明のネットワーク接続回路図
【図４】動作判別主要回路部２２の回路図
【図５】図４の回路図に代用できる回路図
【図６】本発明にパソコン電源のオン機能を持たせる為の補充回路図
【符号の説明】
１は通信接続ケーブル
２はホスト動作判別線
３はゲスト動作判別線
４はネットワーク接続回路
５はＩ／Ｏポートボード
６は母線通信接続ケーブル
７は支線通信接続ケーブル
８はネットワーク通信ソフト
９はホスト動作判別回路
１０はホスト動作判別線作動回路
１１はゲスト動作判別回路
１２はゲスト動作判別線作動回路
１３はポートボード入出力回路
１４はデータ信号ゲート回路
１５は支線通信接続ケーブル未装着時の警告信号出力
１６はホスト送信データライン
１７はゲスト送信データライン
１８はリレー（ＲＹ４）接点
１９はジャンパー配線
２０はＩＮ１〜ＩＮ４をセンスしてマイコン本体電源用のリレーをオンオフする回路
２１はリレー（ＲＹ２）接点
２２は動作判別主要回路部
【図１】
0003624266.tif 000002
【図２】
0003624266.tif 000003
【図３】
0003624266.tif 000004
【図４】
0003624266.tif 000005
【図５】
0003624266.tif 000006
【図６】
0003624266.tif 000007